(57)【要約】【課題】マイクロ外科用器具およびそれと共に使用するための装填ユニットを提供すること。【解決手段】外科用器具との係合のために構成された装填ユニットが提供され、前記装填ユニットは、長手方向軸を画定している近位本体部分と、前記近位本体部分と機械的に協調して配置されているエンドエフェクタと、前記カートリッジアセンブリ内で長手方向に並進可能な作動スレッドと、前記カートリッジアセンブリ内に配置されたプッシャであって、前記プッシャは、第１の列および第２の列に配列されており、各プッシャは、前記作動スレッドとの係合のために構成された表面を含み、前記第１の列における各プッシャのカム表面は、前記第２の列における各プッシャのカム表面と長手方向に整列させられており、プッシャの前記第１の列は、プッシャの前記第２の列から横方向にずれている、プッシャとを含む。【選択図】なし【特許請求の範囲】
【請求項１】
外科用器具との係合のために構成された装填ユニットであって、前記装填ユニットは、
長手方向軸を画定している近位本体部分と、
前記近位本体部分と機械的に協調して配置されているエンドエフェクタであって、前記エンドエフェクタは、カートリッジアセンブリおよびアンビルアセンブリを含み、前記カートリッジアセンブリおよび前記アンビルアセンブリのうちの一方は、開放位置とそれらの間で組織を捕捉する接近位置との間で、前記カートリッジアセンブリおよび前記アンビルアセンブリのうちの他方に対して移動可能であり、前記カートリッジアセンブリは、その内部にファスナーを収納するように構成されている、エンドエフェクタと、
前記カートリッジアセンブリ内で長手方向に並進可能な作動スレッドと、
前記カートリッジアセンブリ内に配置されたプッシャであって、前記プッシャは、第１の列および第２の列に配列されており、各プッシャは、前記作動スレッドとの係合のために構成された表面を含み、前記第１の列における各プッシャのカム表面は、前記第２の列における各プッシャのカム表面と長手方向に整列させられており、プッシャの前記第１の列は、プッシャの前記第２の列から横方向にずれている、プッシャと
を含む、装填ユニット。
【請求項２】
各プッシャの前記カム表面は、第１のカム表面および第２のカム表面を含む、請求項１に記載の装填ユニット。
【請求項３】
前記作動スレッドは、前記作動スレッドの遠位の並進の間に、前記第１の列における各プッシャの前記第１のカム表面に接触するように構成されており、
前記作動スレッドは、前記作動スレッドの遠位の並進の間に、前記第２の列における各プッシャの前記第２のカム表面に接触するように構成されている、請求項２に記載の装填ユニット。
【請求項４】
前記第１の列における各プッシャの前記第２のカム表面は、前記作動スレッドの遠位の並進の間に、前記作動スレッドから離間されており、
前記第２の列における各プッシャの前記第１のカム表面は、前記作動スレッドの遠位の並進の間に、前記作動スレッドから離間されている、請求項３に記載の装填ユニット。
【請求項５】
前記プッシャは、垂直方向において細長い横方向延長部を含み、前記カートリッジアセンブリは、Ｔ字型保持スロットを含み、前記横方向延長部は、前記Ｔ字型保持スロットの一部分内に受け取られる、請求項１に記載の装填ユニット。
【請求項６】
前記作動スレッドは、第１の楔および第２の楔を含み、前記作動スレッドの遠位の並進は、前記第１の楔が、前記第１の列における各プッシャの前記第１のカム表面と、前記第２の列における各プッシャの前記第２のカム表面とに接触することを引き起こし、
前記作動スレッドの遠位の並進は、前記第２の楔が、第３の列における各プッシャの前記第１のカム表面と、第４の列における各プッシャの前記第２のカム表面とに接触することを引き起こす、請求項５に記載の装填ユニット。
【請求項７】
前記エンドエフェクタの最も外側の直径は、約５ｍｍである、請求項１に記載の装填ユニット。
【請求項８】
前記エンドエフェクタの最も外側の直径は、約４ｍｍ、５ｍｍ、および８ｍｍから成る群から選択される、請求項１に記載の装填ユニット。
【請求項９】
前記カートリッジアセンブリの組織接触表面を通って延びている複数のＴ字型保持スロットをさらに含む、請求項１に記載の装填ユニット。
【請求項１０】
前記第１の列における各プッシャは、第１の配向に配置されており、前記第２の列における各プッシャは、第２の配向に配置されており、前記第１の配向は、前記第２の配向から１８０°ずれている、請求項１に記載の装填ユニット。
【請求項１１】
前記第１の列における各プッシャは、前記第２の列における各プッシャと同一である、請求項１に記載の装填ユニット。
【請求項１２】
前記第１のカム表面は、前記長手方向軸に対して第１の角度に配置されており、前記第２のカム表面は、前記長手方向軸に対して第２の角度に配置されており、前記第１の角度は、前記第２の角度と同一である、請求項２に記載の装填ユニット。
【請求項１３】
前記第１の角度は、約２０°〜約４０°の間である、請求項１２に記載の装填ユニット。
【請求項１４】
各プッシャは、ファスナーと係合するように構成された上側エッジを含む本体部分と、前記本体部分から垂直に延びている横方向延長部と、前記横方向延長部から第１の方向に延びており前記第１のカム表面を含む第１のレッグと、前記横方向延長部から第２の方向に延びており前記第２のカム表面を含む第２のレッグとを含む、請求項２に記載の装填ユニット。
【請求項１５】
前記横方向延長部の上側エッジは、前記本体部分の前記上側エッジと共平面である、請求項１４に記載の装填ユニット。
【請求項１６】
外科用器具と共に使用するためのプッシャであって、
ファスナーに係合するように構成された上側エッジを含む本体部分と、
前記本体部分から垂直に延びている横方向延長部と、
前記横方向延長部から第１の方向に延びており第１のカム表面を含む第１のレッグと、
前記横方向延長部から第２の方向に延びており第２のカム表面を含む第２のレッグと
を含む、プッシャ。
【請求項１７】
前記横方向延長部の上側エッジは、前記本体部分の前記上側エッジと共平面である、請求項１６に記載のプッシャ。
【請求項１８】
前記第１のカム表面は、前記長手方向軸に対して第１の角度に配置されており、前記第２のカム表面は、前記長手方向軸に対して第２の角度に配置されており、前記第１の角度および前記第２の角度は、同一である、請求項１６に記載のプッシャ。
【請求項１９】
前記第１の角度は、約２０°〜約４０°の間である、請求項１８に記載のプッシャ。
【請求項２０】
前記第１の方向は、前記第２の方向とは反対である、請求項１６に記載のプッシャ。
【発明の詳細な説明】
【技術分野】
【０００１】
（背景）
（技術分野）
本開示は、概して、組織を外科的に接合するための器具に関しており、より具体的には、比較的小さい直径を有するエンドエフェクタを含む外科用締結器具および装填ユニットに関している。
【０００２】
（関連技術の背景）
組織を外科的に接合するために用いられる種々のタイプの外科用器具は、当該技術分野において公知であり、例えば、離断、切除、吻合における組織または器官の閉鎖のため、胸部および腹部の処置における器官の閉塞のため、および組織を電気外科的に融合または密閉するために、一般的に用いられている。
【０００３】
そのような外科用器具の一例は、外科用ステープリング器具であり、それは、アンビルアセンブリと、外科用ファスナーのアレイを支持するためのカートリッジアセンブリと、カートリッジアセンブリおよびアンビルアセンブリを接近させるための接近機構と、外科用ファスナーをカートリッジアセンブリから発射するための発射機構とを含み得る。
【０００４】
外科医が、アンビルア部材とカートリッジ部材とを接近させるために、外科用器具を用いることは一般的である。次に、外科医は、外科用ファスナーを組織内に据え付けるために器具を発射し得る。さらに、外科医は、同じ器具または別個の器具を用いて、外科用ファスナーの列に隣接した組織または外科用ファスナーの列の間の組織を切断し得る。
【０００５】
さらに、装填ユニット（例えば、単回使用装填ユニットまたは使い捨て装填ユニット）は、外科用ステープリング器具の細長い部分または内視鏡部分に取り付けられ得る。そのような装填ユニットは、例えば、外科用ステープリング器具がより大きな多用途性を有することを可能にする。装填ユニットは、単回使用のために構成され得、かつ／または、複数回使用のために構成され得る。
【０００６】
さらに、エンドエフェクタおよび／または装填ユニットは、概して、それに含まれている種々の構成要素によってサイズが限定される。すなわち、エンドエフェクタおよび／または装填ユニットが、典型的に利用可能であるものに比べてより小さい直径を有する必要があり得、エンドエフェクタおよび／または装填ユニットの直径は、典型的には、例えば、それに含まれているステープルプッシャ、Iビーム、作動スレッド、およびファスナーのサイズ、幾何学的形状、および／または配向によって限定される。
【発明の概要】
【課題を解決するための手段】
【０００７】
（概要）
本開示は、外科用器具との係合のために構成された装填ユニットに関する。装填ユニットは、近位本体部分と、エンドエフェクタと、作動スレッドと、プッシャとを含む。近位本体部分は、長手方向軸を画定する。エンドエフェクタは、近位本体部分と機械的に協調して配置され、カートリッジアセンブリおよびアンビルアセンブリを含む。カートリッジアセンブリおよびアンビルアセンブリのうちの一方は、開放位置とそれらの間で組織を捕捉する接近位置との間で、カートリッジアセンブリおよびアンビルアセンブリのうちの他方に対して移動可能である。カートリッジアセンブリは、その内部にファスナーを収納するように構成されている。作動スレッドは、カートリッジアセンブリ内で長手方向に並進可能である。プッシャは、カートリッジアセンブリ内に配置される。プッシャは、第１の列および第２の列に配置される。各プッシャは、作動スレッドと係合するように構成されたカム表面を含む。第１の列における各プッシャのカム表面は、第２の列における各プッシャのカム表面と長手方向に整列させられる。第１の列は、第２の列から横方向にずれている。
【０００８】
開示された実施形態において、各プッシャの１つのカム表面は、第１のカム表面および第２のカム表面を含む。作動スレッドが該作動スレッドの遠位の並進の間に第１の列における各プッシャの第１のカム表面に接触するように構成されることと、作動スレッドが該作動スレッドの遠位の並進の間に第２の列における各プッシャの第２のカム表面に接触するように構成されることとが、さらに開示される。さらに、第１の列における各プッシャの第２のカム表面は、作動スレッドの遠位の並進の間に作動スレッドから離間され、第２の列における各プッシャの第１のカム表面は、作動スレッドの遠位の並進の間に作動スレッドから離間される。
【０００９】
プッシャが第３の列および第４の列に配置されることも開示される。さらに、作動スレッドは、第１の楔および第２の楔を含む。作動スレッドの遠位の並進は、第１の楔が第１の列における各プッシャのカム表面と、第２の列における各プッシャの第２のカム表面とに接触することを引き起こす。作動スレッドの遠位の並進は、第２の楔が第３の列における各プッシャの第１のカム表面と、第４の列における各プッシャの第２のカム表面とに接触することを引き起こす。
【００１０】
エンドエフェクタの最も外側の直径が約５ｍｍであることもまた開示される。
【００１１】
開示された実施形態において、装填ユニットは、カートリッジアセンブリの組織接触表面を通して延びている複数のＴ字型保持スロットを含む。
【００１２】
第１の列における各プッシャが、第１の配向に配置され、第２の列における各プッシャが、第２の配向に配置されることもまた開示されている。第１の配向は、第２の配向から１８０°ずれている。
【００１３】
さらに、第１の列における各プッシャは、第２の列における各プッシャと同一である。
【００１４】
開示された実施形態において、第１のカム表面は、長手方向軸に対して第１の角度に配置されており、第２のカム表面は、長手方向軸に対して第２の角度に配置されており、第１の角度は、第２の角度と同一である。第１の角度は、約２０°〜約４０°の間であることが開示される。
【００１５】
さらに、各プッシャが、ファスナーに係合するように構成された上側エッジを含む本体部分と、本体部分から垂直に延びている横方向延長部と、横方向延長部から第１の方向に延びており第１のカム表面を有している第１のレッグと、横方向延長部から第２の方向に延びており第２のカム表面を有している第２のレッグとを含むことが開示される。横方向延長部の上側エッジは、本体部分の上側エッジと共平面である。
【００１６】
本開示はまた、外科用器具と共に使用するためのプッシャに関する。プッシャは、本体部分と、横方向延長部と、第１のレッグと、第２のレッグとを含む。本体部分は、ファスナーに係合するように構成された上側エッジを含む。横方向延長部は、本体部分から垂直に延びている。第１のレッグは、横方向延長部から第１の方向に延びており、第１のカム表面を含んでいる。第２のレッグは、横方向延長部から第２の方向に延びており、第２のカム表面を含んでいる。
【００１７】
開示された実施形態において、横方向延長部の上側エッジは、本体部分の上側エッジと共平面である。
【００１８】
さらに、第１のカム表面が長手方向軸に対して第１の角度に配置され、第２のカム表面が長手方向軸に対して第２の角度に配置され、第１の角度および第２の角度が同一であることが開示される。さらに、第１の角度が約２０°〜約４０°の間であることが開示される。第１の方向が第２の方向の反対であることもまた開示される。
本明細書は、例えば、以下の項目を提供する。
（項目１）
外科用器具との係合のために構成された装填ユニットであって、上記装填ユニットは、
長手方向軸を画定している近位本体部分と、
上記近位本体部分と機械的に協調して配置されているエンドエフェクタであって、上記エンドエフェクタは、カートリッジアセンブリおよびアンビルアセンブリを含み、上記カートリッジアセンブリおよび上記アンビルアセンブリのうちの一方は、開放位置とそれらの間で組織を捕捉する接近位置との間で、上記カートリッジアセンブリおよび上記アンビルアセンブリのうちの他方に対して移動可能であり、上記カートリッジアセンブリは、その内部にファスナーを収納するように構成されている、エンドエフェクタと、
上記カートリッジアセンブリ内で長手方向に並進可能な作動スレッドと、
上記カートリッジアセンブリ内に配置されたプッシャであって、上記プッシャは、第１の列および第２の列に配列されており、各プッシャは、上記作動スレッドとの係合のために構成された表面を含み、上記第１の列における各プッシャのカム表面は、上記第２の列における各プッシャのカム表面と長手方向に整列させられており、プッシャの上記第１の列は、プッシャの上記第２の列から横方向にずれている、プッシャと
を含む、装填ユニット。
（項目２）
各プッシャの上記カム表面は、第１のカム表面および第２のカム表面を含む、上記項目に記載の装填ユニット。
（項目３）
上記作動スレッドは、上記作動スレッドの遠位の並進の間に、上記第１の列における各プッシャの上記第１のカム表面に接触するように構成されており、
上記作動スレッドは、上記作動スレッドの遠位の並進の間に、上記第２の列における各プッシャの上記第２のカム表面に接触するように構成されている、上記項目のいずれかに記載の装填ユニット。
（項目４）
上記第１の列における各プッシャの上記第２のカム表面は、上記作動スレッドの遠位の並進の間に、上記作動スレッドから離間されており、
上記第２の列における各プッシャの上記第１のカム表面は、上記作動スレッドの遠位の並進の間に、上記作動スレッドから離間されている、上記項目のいずれかに記載の装填ユニット。
（項目５）
上記プッシャは、垂直方向において細長い横方向延長部を含み、上記カートリッジアセンブリは、Ｔ字型保持スロットを含み、上記横方向延長部は、上記Ｔ字型保持スロットの一部分内に受け取られる、上記項目のいずれかに記載の装填ユニット。
（項目６）
上記作動スレッドは、第１の楔および第２の楔を含み、上記作動スレッドの遠位の並進は、上記第１の楔が、上記第１の列における各プッシャの上記第１のカム表面と、上記第２の列における各プッシャの上記第２のカム表面とに接触することを引き起こし、
上記作動スレッドの遠位の並進は、上記第２の楔が、第３の列における各プッシャの上記第１のカム表面と、第４の列における各プッシャの上記第２のカム表面とに接触することを引き起こす、上記項目のいずれかに記載の装填ユニット。
（項目７）
上記エンドエフェクタの最も外側の直径は、約５ｍｍである、上記項目のいずれかに記載の装填ユニット。
（項目８）
上記エンドエフェクタの最も外側の直径は、約４ｍｍ、５ｍｍ、および８ｍｍから成る群から選択される、上記項目のいずれかに記載の装填ユニット。
（項目９）
上記カートリッジアセンブリの組織接触表面を通って延びている複数のＴ字型保持スロットをさらに含む、上記項目のいずれかに記載の装填ユニット。
（項目１０）
上記第１の列における各プッシャは、第１の配向に配置されており、上記第２の列における各プッシャは、第２の配向に配置されており、上記第１の配向は、上記第２の配向から１８０°ずれている、上記項目のいずれかに記載の装填ユニット。
（項目１１）
上記第１の列における各プッシャは、上記第２の列における各プッシャと同一である、上記項目のいずれかに記載の装填ユニット。
（項目１２）
上記第１のカム表面は、上記長手方向軸に対して第１の角度に配置されており、上記第２のカム表面は、上記長手方向軸に対して第２の角度に配置されており、上記第１の角度は、上記第２の角度と同一である、上記項目のいずれかに記載の装填ユニット。
（項目１３）
上記第１の角度は、約２０°〜約４０°の間である、上記項目のいずれかに記載の装填ユニット。
（項目１４）
各プッシャは、ファスナーと係合するように構成された上側エッジを含む本体部分と、上記本体部分から垂直に延びている横方向延長部と、上記横方向延長部から第１の方向に延びており上記第１のカム表面を含む第１のレッグと、上記横方向延長部から第２の方向に延びており上記第２のカム表面を含む第２のレッグとを含む、上記項目のいずれかに記載の装填ユニット。
（項目１５）
上記横方向延長部の上記上側エッジは、上記本体の上記上側エッジと共平面である、上記項目のいずれかに記載の装填ユニット。
（項目１６）
外科用器具と共に使用するためのプッシャであって、
ファスナーに係合するように構成された上側エッジを含む本体部分と、
上記本体部分から垂直に延びている横方向延長部と、
上記横方向延長部から第１の方向に延びており第１のカム表面を含む第１のレッグと、
上記横方向延長部から第２の方向に延びており第２のカム表面を含む第２のレッグと
を含む、プッシャ。
（項目１７）
上記横方向延長部の上側エッジは、上記本体部分の上記上側エッジと共平面である、上記項目に記載のプッシャ。
（項目１８）
上記第１のカム表面は、上記長手方向軸に対して第１の角度に配置されており、上記第２のカム表面は、上記長手方向軸に対して第２の角度に配置されており、上記第１の角度および上記第２の角度は、同一である、上記項目のいずれかに記載のプッシャ。
（項目１９）
上記第１の角度は、約２０°〜約４０°の間である、上記項目のいずれかに記載のプッシャ。
（項目２０）
上記第１の方向は、上記第２の方向とは反対である、上記項目のいずれかに記載のプッシャ。
（摘要）
外科用器具との係合のための装填ユニット。装填ユニットは、近位本体部分と、エンドエフェクタと、作動スレッドと、プッシャとを含む。作動スレッドは、カートリッジアセンブリ内で長手方向に並進可能である。プッシャは、カートリッジアセンブリ内に配置される。各プッシャは、作動スレッドとの係合のために構成されたカム表面を含む。第１の列における各プッシャのカム表面は、第２の列における各プッシャのカム表面と長手方向に整列させられる。プッシャの第１の列は、プッシャの第２の列から横方向にずれている。
【図面の簡単な説明】
【００１９】
本開示の外科用器具および装填ユニットの種々の実施形態が、図面を参照しながら本明細書中に開示される。
【図１】図１は、本開示の実施形態に従う外科用器具の斜視図である。
【図２】図２は、本開示に従うエンドエフェクタを有する装填ユニットの斜視図である。
【図３】図３は、関節運動位置（ａｒｔｉｃｕｌａｔｅｄ  ｐｏｓｉｔｉｏｎ）に配置されたエンドエフェクタを図示する図２の装填ユニットの斜視図である。
【図４】図４は、開放位置における図３のエンドエフェクタの斜視図である。
【図５】図５は、接近位置における図４のエンドエフェクタの側面図である。
【図６】図６は、図４のエンドエフェクタのカートリッジアセンブリの上面図である。
【図７】図７は、図４のエンドエフェクタの組立図である。
【図８】図８は、図７に示されるエリアを詳細に示している。
【図９】図９は、図４のエンドエフェクタのアンビルアセンブリの斜視図である。
【図１０】図１０は、図４のエンドエフェクタのアンビルアセンブリの斜視図である。
【図１１】図１１は、本開示に従う装填ユニットのスレッド、プッシャ、およびファスナーの斜視図である。
【図１２】図１２は、本開示に従う装填ユニットのスレッド、プッシャ、およびファスナーの斜視図である。
【図１２Ａ】図１２Aは、図１１および１２のプッシャの斜視図である。
【図１３】図１３は、本開示の装填ユニットのアンビルアセンブリおよびバネの一部分の組立図である。
【図１４】図１４は、図１３のバネと係合したアンビルアセンブリの近位部分の斜視図である。
【図１５】図１５は、図４の線１５−１５に沿って切り取られたエンドエフェクタの一部分の側面断面図である。
【図１６】図１６は、図１５に示されるエリアを詳細に図示している。
【図１７】図１７は、図４の線１７−１７に沿って切り取られたエンドエフェクタの一部分の側面断面図である。
【図１８】図１８は、図１７に示されるエリアを詳細に図示している。
【図１９】図１９は、接近位置における本開示のエンドエフェクタの斜視図である。
【図２０】図２０は、図１９のエンドエフェクタの一部分の斜視図である。
【図２１】図２１は、図２０における線２１−２１に沿って切り取られた本開示のエンドエフェクタの側面断面図である。
【図２２】図２２は、図２１に示されるエリアを詳細に図示している。
【図２３】図２３は、本開示のエンドエフェクタの一部分の側面断面図である。
【図２４】図２４は、図２３に示されるエリアを詳細に図示している。
【図２５】図２５は、接近位置における本開示のエンドエフェクタの斜視図である。
【図２６】図２６は、図２５における線２６−２６に沿って切り取られた本開示のエンドエフェクタの端部断面図である。
【発明を実施するための形態】
【００２０】
（詳細な説明）
本開示の外科用器具、それと共に使用するための装填ユニット、およびそれと共に使用するためにカートリッジアセンブリの実施形態が図面を参照して詳細に記載され、同じ参照番号は、いくつかの図面の各々において、対応する要素を指している。当該技術分野において一般的である通り、用語「近位」は、ユーザまたは操作者（例えば、外科医または医師）により近いパーツまたは構成要素を参照し、その一方で用語「遠位」は、ユーザから離れたパーツまたは構成要素を参照している。
【００２１】
本開示の外科用器具は、図１において参照番号１００として示されている。一般に、外科用器具１００は、ハンドルアセンブリ１１０、該ハンドルアセンブリ１１０から遠位に延びている細長い部分１２０、および細長い部分１２０の遠位端に隣接して配置されている装填ユニット２００を含む。図１は、給電式ハンドルアセンブリを含む外科用器具１００を図示しているが、その他のタイプのハンドル、例えば、モータ駆動式、水圧式、旋回式、ラチェット式等が用いられ得る。本明細書中で用いられるとき、「ハンドルアセンブリ」は、全てのタイプのハンドルアセンブリを包含する。装填ユニット２００は、外科用ステープリング器具１００の細長い部分１２０に解放可能に取り付け可能であり、例えば、外科用器具１００がより大きい多用途性を有することを可能にする。この配列は、臨床医が所与の処置のために特定の装填ユニット２００を選択することを可能にする。本明細書中で用いられるとき、「装填ユニット」は、単回使用装填ユニット（「ＳＵＬＵ」）および使い捨て装填ユニット（「ＤＬＵ」）を包含する。追加的にまたは代替的に、外科用器具１００は、器具の再使用可能な顎部において除去可能および交換可能なカートリッジを有し得る。
【００２２】
外科用ステープリング器具と共に使用するための装填ユニットの例は、共有に係るＢｏｌａｎｏｓ等に対する米国特許５，７５２，６４４号に開示されており、その全体の内容は、参照により本明細書中に援用される。内視鏡外科用ステープリング器具のさらなる詳細は、共有に係るＭｉｌｌｉｍａｎ等に対する米国特許６，９５３，１３９号に記載されており、その全体の内容は、参照により本明細書中に援用される。
【００２３】
本開示に従う外科用器具１００において、発射ロッド（明示的に示されていない）は、ファスナー６００（図７）を配備するためにハンドルアセンブリ１１０の作動を通して遠位に移動させられる。図１に示されている実施形態を参照すると、第１のスイッチ１１２または第２のスイッチ１１４の少なくとも部分的な作動が、発射ロッドを長手方向に並進させる。発射ロッドの遠位の並進は、ナイフバー１４０（図２３）の遠位の並進を引き起こし、これは、以下にさらに詳細に議論されるように、クランプ部材５００の遠位の並進を引き起こすことにより、少なくとも１つの顎部部材を互いに対して接近させる。さらに、クランプ部材５００（図２）の遠位の並進は、作動スレッド５２０（図１６）の対応する並進を引き起こし、これは、プッシャ５５０が、カートリッジアセンブリ４００のポケット４０１（図６）からのファスナー６００（図１７）の射出を引き起こすという結果になる。
【００２４】
図２、３をさらに参照すると、本開示の装填ユニット２００が示されている。装填ユニット２００は、長手方向軸「Ａ−Ａ」を画定している近位本体部分２１０と、第１の顎部部材またはアンビルアセンブリ３００および第２の顎部部材またはカートリッジアセンブリ４００を含むツールアセンブリまたはエンドエフェクタ２２０とを含んでいる。カートリッジアセンブリ４００は、カートリッジチャネル４０９（図７）内に配置されたカートリッジ４０８を含む。以下に詳細に議論されるように、近位本体部分２１０は、外科用器具１００の細長い部分１２０に除去可能に取り付けられるように構成されている。図３に示されているように、エンドエフェクタ２２０は、長手方向軸「Ａ−Ａ］」に対して旋回可能である。
【００２５】
ここで図２６を参照すると、本明細書中に開示されている装填ユニット２００の種々の特徴は、詳細には、装填ユニット２００が、約１２ｍｍの直径を有するより従来的な器具と比較して比較的小さい直径「ｄ」（例えば、約４ｍｍ、約５ｍｍ、約６ｍｍ、約７ｍｍまたは約８ｍｍ等）を有することを可能にする。装填ユニット２００および特にエンドエフェクタ２２０の直径「ｄ」は、アンビルアセンブリ３００の半径方向最も外側の壁（またはクランプ部材の上部５０２）とカートリッジアセンブリ４００の半径方向最も外側の壁（またはクランプ部材５００の底部５０４）との間で測定される。そのような低プロファイルは、装填ユニット２００がトロカール「Ｔ」（図５において幻影線で示されている）または同様の内径を有するその他のアクセスデバイスの中に挿入されることを可能にする。本開示のエンドエフェクタ２２０は、同等の直径を有する身体組織内の開口部（例えば、切開部または自然に存在するオリフィス）の中に挿入され得ることが企図されている。理解されるように、そのような低プロファイルの装填ユニット２００は、例えば、小児外科手術および／またはその他の薄い組織の場所において有用である。さらに、示されている実施形態において、装填ユニット２００の近位本体部分２１０の近位部分２１２は、より大きい直径の細長い部分１２０（例えば、約７ｍｍ〜約１２ｍｍの間）を有する外科用器具１００（図１）の細長い部分１２０に係合するようにサイズおよび構成が決められており、これにより、装填ユニット２００が約７ｍｍ〜約１２ｍｍの間の外径を有する細長い部分１２０を有する器具に結合されることを可能にすることによってより大きな多用途性を可能にする。
【００２６】
さらに具体的に、図２を参照すると、装填ユニット２００の挿入先端２０２が、外科用ステープリング器具１００（図１）の細長い部分１２０の遠位端の中に直線的に挿入される。挿入先端２０２の突起２０４は、細長い部分１２０の遠位端に隣接して形成されたスロットを通して直線的に移動する。その後、装填ユニット２００は、長手方向軸「Ａ−Ａ」を中心として回転させられ、その結果、突起２０４は、細長い部分１２０内のスロットを通して長手方向軸「Ａ−Ａ」に対して横方向に移動するようになる。さらに、装填ユニット２００および細長い部分１２０の係合の間、ハンドル部分１１０の発射ロッドは、装填ユニット２００のナイフバー１４０（図２３）と係合する。
【００２７】
図７および２６を参照すると、クランプ部材５００は、アンビルアセンブリ３００と係合するように構成される上部５０２と、カートリッジアセンブリ４００と係合するように構成される底部５０４と、上部５０２および底部５０４を連結し、その遠位表面または先導表面上に切断エッジ５０６を含み得る垂直部分５０３とを含む、Ｉ字型の断面を含む。さらに、エンドエフェクタ２２０を通るクランプ部材５００の遠位の前進は、上部５０２をアンビルアセンブリ３００のカム表面３０２（図１６）に接触させる。このようにして、クランプ部材５００の継続した遠位の前進は、アンビルアセンブリ３００をその開放位置（図４）からその接近位置（図５）に向けてカートリッジアセンブリ４００に対して旋回させる。さらに、クランプ部材５００の上部５０２は、アンビルアセンブリ３００内のスロット３０４内で遠位に前進させられ、クランプ部材５００の底部５０４は、カートリッジアセンブリ４００のカートリッジチャネル４０９のスロット４１４内で遠位に前進させられることにより、顎部材を互いに対して安定させることを助け、そして、第１の顎部材３００と第２の顎部材４００との間で一定の間隙を維持することを助ける。このようにして、発射ロッドの所定の量の遠位移動が、顎部部材の接近および安定化を引き起こす。さらに、クランプ部材５００の切断エッジ５０６は、クランプ部材５００上に含まれる場合、アンビルアセンブリ３００のチャネル３０５（図９）、カートリッジアセンブリ４００のチャネル４０５（図８）を通って移動し、（上述のように組織が締結された後に）顎部部材間に配置された組織を切断する。
【００２８】
さらに、図１３および１４を特に参照すると、付勢要素５４０は、アンビルアセンブリ３００を開放位置に向けて付勢するように構成されている。特に、付勢要素５４０（例えば、バネ）は、アンビルアセンブリ３００の近位端に配置されるかまたは該近位端に固定される。例えば、図１６および２２に示されているように、付勢要素５４０は、近位本体部分２１０の遠位端２１３に接触する。付勢要素５４０の端部５４２（例えば、片持ち端部）は、近位へと強制され、これにより、アンビルアセンブリ３００をその開放位置（図１５）に向けて付勢する。
【００２９】
さらに作動スレッド５２０に関し、作動スレッド５２０の遠位の並進は、複数のプッシャ５５０に連続的に係合し、プッシャ５５０をカートリッジアセンブリ４００の組織接触表面４１０（図８）に向けて移動させ、ファスナー６００をアンビルアセンブリ３００に向けて射出させる。ファスナー６００の射出の後、クランプ部材５００の切断エッジ５０６が、ステープル留めされた組織を切断する（図１８）。
【００３０】
特に図１１および１２を参照すると、作動スレッド５２０のさらなる詳細が開示されている。作動スレッド５２０は、プッシャ５５０の第１のカム表面５６０または第２のカム表面５６１のいずれかに接触し、それにより、プッシャ５５０の上側エッジ５５３をファスナー６００と係合させ、その後、カートリッジアセンブリ４００（図８）の保持キャビティ４５０を通して、そして（例えば、顎部部材の間に保持された組織を通して）アンビルアセンブリ３００のそれぞれのポケット３２０（図１０）に向けて、ファスナー６００の射出を引き起こすように構成されている。
【００３１】
ここで図１２Ａを参照すると、プッシャ５５０のさらなる詳細が開示されている。各プッシャ５５０は、本体部分５５２と、横方向延長部５５４と、第１のレッグ５５６と、第２のレッグ５５８と、第１のカム表面５６０、第２のカム表面５６１とを含む。各プッシャ５５０は、本体部分５５２が長手方向軸「Ａ−Ａ」と平行になるように、カートリッジアセンブリ４００内に配置される（図２、７および８を参照）。本体部分５５２の上側エッジ５５３は、ファスナー６００のバックスパン６０２に係合するように構成および寸法が決められている。横方向延長部５５４は、本体部分５５２から垂直に延びている。示された実施形態において、横方向延長部５５４の上側エッジ５５５は、本体部分５５２の上側エッジ５５３と共平面である。
【００３２】
図１２Ａに示されている配向において、第１のレッグ５５６は、横方向延長部５５４から近位に延びており、第２のレッグ５５８は、横方向延長部５５４から遠位に延びている。この第１の配向において、プッシャ５５０は、ファスナー６００の内側列「Ｉ１」および「Ｉ２」（図８）に関連して用いられる。理解され得るように、プッシャ５５０の配向が１８０°回転された場合、プッシャ５５０は、その第２の配向になり、ファスナー６００の外側列「Ｏ１」および「Ｏ２」（図８）と関連して用いられる。さらに、第２の配向において、第１のレッグ５５６は、横方向延長部５５４から遠位に延び、第２のレッグ５５８は、横方向延長部５５４から近位に延びる。
【００３３】
引き続き図１２Ａを参照すると、第１のレッグ５５６および第２のレッグ５５８の各々は、略楔形状であり、その下端部においてそれぞれのカム表面５６０、５６１を含み、その上端部において平面状の表面５６２を含む。第１のカム表面５６０は、第１のレッグ５５６の下表面５５６ａによって画定される軸に対して角度α１に配置され、第２のカム表面５６１は、第１のレッグ５５６の下表面５５６ａによって画定される軸に対して第２の角度α２に配置される。第１の角度α１は、第２の角度α２と同一であり、例えば、約２０°〜約４０°の間であり得る。より大きい角度およびより小さい角度もまた企図される。
【００３４】
プッシャ５５０が第１の配向にある場合（図１２Ａ）、第１のレッグ５５６のカム表面５６０は、作動スレッド５２０の楔５２４（以下に議論されるように、列に応じて、楔５２４ａまたは５２４ｂ）に係合するように構成されており、その一方で、第２のレッグ５５８のカム表面５６１は、作動スレッド５２０のカム表面５２４との係合から自由であるように構成されている。すなわち、第１の配向において、カム表面５６１は、楔５２４に接触または係合しない。プッシャ５５０が第２の配向にある場合、第２のレッグ５５８のカム表面５６１は、作動スレッド５２０の楔５２４（列に応じて、楔５２４ａまたは５２４ｂ）に係合するように構成されており、その一方で、第１のレッグ５５６のカム表面５６０は、作動スレッド５２０の楔５２４との係合から自由であるように構成されている。すなわち、第２の配向において、カム表面５６０は、楔５２４と接触または係合しない。
【００３５】
さらに、図８に示されているように、プッシャ５５０は、４つの長手方向列「Ｒ１」、「Ｒ２」、「Ｒ３」、および「Ｒ４」に配列されており、列「Ｒ１」および「Ｒ２」は、チャネル４０５の第１の横方向の側において互い違いに配置されており、列「Ｒ３」および「Ｒ４」は、チャネル４０５の第２の横方向の側において互い違いに配置されている。ここで、列「Ｒ１」に配列されたプッシャ５５０の第１のレッグ５５６のカム表面５６０は、列「Ｒ２」に配列されたプッシャ５５０の第２のレッグ５５８のカム表面５６１と長手方向に整列させられている。同様に、列「Ｒ３」に配列されたプッシャ５５０の第１のレッグ５５６のカム表面５６０は、列「Ｒ４」に配列されたプッシャの第２のレッグ５５８のカム表面５６１と長手方向に整列させられている。したがって、作動スレッド５２０の各楔５２４ａ、５２４ｂは、プッシャ５５０の２つの列に係合するように構成されている。より具体的には、第１の楔５２４ａは、列「Ｒ１」および「Ｒ２」においてプッシャ５５０に係合するように構成されており、その一方で、第２の楔５２４ｂは、列「Ｒ３」および「Ｒ４」においてプッシャ５５０に係合するように構成されている。
【００３６】
プッシャは、列Ｒ１、Ｒ２、Ｒ３、およびＲ４において同一であるが、隣接する列とは反対の配向に配列されている。第１のレッグおよび第２のレッグは、例えば、プッシャがＲ１およびＲ２において用いられることを可能にするように反対方向に対面しているが反対の配向にあるカム表面を有している。隣接する列における横方向延長部は、反対方向に延びている。プッシャが隣接する列にある状態で（例えば、Ｒ１およびＲ２にあるプッシャ等）、横方向延長部は、プッシャ（およびステープル）が互いに対して互い違いに配置されているので、小さな面積に収容される。
【００３７】
図１２Ａを特に参照すると、プッシャ５５０の第１のレッグ５５６および第２のレッグ５５８の平面状の表面５６２は、本体部分５５２の上側エッジ５５３と平行であるが、上側エッジ５５３と共平面ではない。プッシャ５５０が作動スレッド５２０によって移動またはカム作用された後に、平面状の表面５６２がカートリッジアセンブリ４００内の下面４０７と接触または実質的に接触することが企図されている（図２４を参照）。すなわち、カートリッジアセンブリ４００内の下面４０７は、アンビルアセンビル３００に向けたプッシャ５５０の移動を制限し、これは、ファスナー６００の完全かつ適切な形成を確実にすることを助け得、さらには、プッシャ５５０が（例えば、ファスナー６００の射出の前、最中、後に）カートリッジアセンブリ４００内にとどまることを確実にすることを助け得る。
【００３８】
図８に戻って参照すると、カートリッジアセンブリ４００の保持キャビティ４５０が示されている。各保持キャビティ４５０は、それが組織接触表面４１０と交差して、少なくとも部分的にそれを通るプッシャ５５０の移動に適応するように、Ｔ字型の形状である。さらに、プッシャ５５０と同様に、保持キャビティ４５０の隣接する列は、互いから長手方向に互い違いに配置されており、保持キャビティ４５０の配向は、１つの隣接列における保持キャビティ４５０から１８０°回転させられている（例えば、図８を参照）。保持キャビティ４５０のＴ字型の形状は、カートリッジアセンブリ４００内のプッシャ５５０の横方向および長手方向の位置を維持することを助けることが企図されている。
【００３９】
上述した記載は、多くの具体例を含んでいるが、これらの具体例は、本開示の範囲を限定するものとして考えらえるべきではなく、本開示の種々の実施形態の例示にすぎないと考えられるべきである。したがって、上述した記載は、限定として解釈されるべきではなく、種々の実施形態の例証にすぎないと解釈されるべきである。当業者は、本明細書に添付された特許請求の範囲の権利範囲内および趣旨内でその他の改変を企図し得る。
【図１】
2017064399.tif 000002
【図２】
2017064399.tif 000003
【図３】
2017064399.tif 000004
【図４】
2017064399.tif 000005
【図５】
2017064399.tif 000006
【図６】
2017064399.tif 000007
【図７】
2017064399.tif 000008
【図８】
2017064399.tif 000009
【図９】
2017064399.tif 000010
【図１０】
2017064399.tif 000011
【図１１】
2017064399.tif 000012
【図１２】
2017064399.tif 000013
【図１２Ａ】
2017064399.tif 000014
【図１３】
2017064399.tif 000015
【図１４】
2017064399.tif 000016
【図１５】
2017064399.tif 000017
【図１６】
2017064399.tif 000018
【図１７】
2017064399.tif 000019
【図１８】
2017064399.tif 000020
【図１９】
2017064399.tif 000021
【図２０】
2017064399.tif 000022
【図２１】
2017064399.tif 000023
【図２２】
2017064399.tif 000024
【図２３】
2017064399.tif 000025
【図２４】
2017064399.tif 000026
【図２５】
2017064399.tif 000027
【図２６】
2017064399.tif 000028